(57)【要約】      （修正有）【課題】時計式携帯電話とタブレット型携帯電話の両方に適用できる多機能給電器を提供する。【解決手段】本体１０があり、本体１０に支持板１４が設けられ、支持板１４に移動板１５が設けられ、移動板１５に給電コイル５０が設けられ、給電コイル５０に電池セットが接続され、電池セットにプラグ１２が接続され、移動板１５が縮むことと伸び出すことにより第１の状態や第２の状態が形成される。第１の状態においては、時計式携帯電話に対して給電でき、第２の状態においては、タブレット型携帯電話に対して給電できる。これにより、それぞれ、時計式携帯電話やタブレット型携帯電話等の異なる形態の携帯電話に対して給電でき、ユーザーは携帯電話に対して給電することが、より便利的になる。【選択図】図７
0003191199.tif 000002
【実用新案登録請求の範囲】
【請求項１】
支持板が枢着され、上記支持板の上側に摺動槽が形成され、上記摺動槽内に移動板が設置され、上記移動板が上記摺動槽内において自在に摺動でき、また、上記支持板の両側に円弧状フィンが枢着される本体と、
上記本体の裏側に枢着されるプラグと、
上記本体内に実装され、上記プラグに電気的に接続され、電気エネルギーが格納される電池セットと、
上記移動板内に実装され、上記電池セットに電気的に接続される給電コイルと、
が含有され、
上記移動板が、上記摺動槽内に縮むことにより第1の状態が形成され、また、上記移動板が、上記支持板の上側へ伸び出すことにより第2の状態が形成され、それぞれ、時計式携帯電話やタブレット型携帯電話に対して給電する、ことを特徴とする時計式携帯電話とタブレット型携帯電話の両方に適用できる多機能給電器。
【請求項２】
上記円弧状フィンにそれぞれ逆Ｕ文字形溝が形成され、上記逆Ｕ文字形溝は、上記支持板が上記本体に垂直するように回転すると、逆Ｕ文字形状になり、上記逆Ｕ文字形溝において内側に挟み持ち片が形成され、上記挟み持ち片において、上記支持板の上側の一端が自由端で、もう一端が連接端になる、ことを特徴とする請求項１に記載の時計式携帯電話とタブレット型携帯電話の両方に適用できる多機能給電器。
【請求項３】
上記円弧状フィンの末端にそれぞれ凸縁が設けられ、上記らの円弧状フィンが上記支持板が上記本体の上面に貼り付くように回転すると、上記凸縁が上記本体の底面に係止する、ことを特徴とする請求項１に記載の時計式携帯電話とタブレット型携帯電話の両方に適用できる多機能給電器。
【請求項４】
上記本体において、スロットが形成され、上記スロットが上記支持板の前方に設置され、上記本体において、上記スロットの底部にＵＳＢプラグが設置され、上記スロットの一側の周縁に蓋板が枢着され、上記蓋板が選択的に上記スロットに被ることができる、ことを特徴とする請求項１に記載の時計式携帯電話とタブレット型携帯電話の両方に適用できる多機能給電器。
【請求項５】
更に、電気継ぎ手があり、上記電気継ぎ手が上記本体の裏側に設置され、上記電気継ぎ手の一端が上記電池セットに電気的に接続され、もう一端が外部電源に電気的に接続される、ことを特徴とする請求項１に記載の時計式携帯電話とタブレット型携帯電話の両方に適用できる多機能給電器。
【請求項６】
上記電気継ぎ手が、ＵＳＢ継ぎ手である、ことを特徴とする請求項５に記載の時計式携帯電話とタブレット型携帯電話の両方に適用できる多機能給電器。
【考案の詳細な説明】
【技術分野】
【０００１】
本考案は、給電器に関し、特に、時計式携帯電話とタブレット型携帯電話の両方に適用できる多機能給電器に関する。
【背景技術】
【０００２】
携帯電話は、よく利用されて、非常に便利的な携行式通信設備である。科技の進歩とともに携帯電話の機能も増えつつ、生活において普及して不可欠な器具である。また、ユーザーが便利に携行でき、いつでも利用できるために、異なるさまざまの形態や機能を重視した携帯電話も、次々登場し、その中、時計式携帯電話やタブレット型携帯電話が、主な趨勢になる。
【０００３】
一般的に、異なる型番の携帯電話は、異なる給電器で、給電することが必要であるため、ユーザーが、携帯電話を買い換える場合や二つ型番の異なる形態である携帯電話を有する場合、異なる給電器を使用しなければならないから、ユーザーが、複数の給電器を有することが必要になり、そのため、ユーザーが迷惑になり、そして、異なる携帯電話に給電する時、異なる給電器で給電しなければならないため、使用上、非常に不便である。
【０００４】
本考案者は、上記欠点を解消するため、慎重に研究し、また、学理を活用して、有効に上記欠点を解消でき、設計が合理である本実用新案を提案する。
【考案の概要】
【考案が解決しようとする課題】
【０００５】
本考案に係る時計式携帯電話とタブレット型携帯電話の両方に適用できる多機能給電器は、上記移動板を上記摺動槽内に縮ませて、第1の状態を形成することや、上記移動板を上記支持板の上側から延び出させて、第2の状態を形成させることを、選択することにより、上記時計式携帯電話とタブレット型携帯電話の両方に適用できる多機能給電器は、上記第1の状態になる時、時計式携帯電話を上記支持板に設置すれば、上記時計式携帯電話とタブレット型携帯電話の両方に適用できる多機能給電器で、上記時計式携帯電話に対して、給電でき、また、上記時計式携帯電話とタブレット型携帯電話の両方に適用できる多機能給電器は、上記第2の状態になる時、タブレット型携帯電話を上記支持板と上記移動板に設置すれば、上記時計式携帯電話とタブレット型携帯電話の両方に適用できる多機能給電器で、上記タブレット型携帯電話に対して、給電でき、これにより、それぞれ、時計式携帯電話やタブレット型携帯電話の二種類の異なる形態の携帯電話に対して給電でき、そのため、ユーザーが携帯電話に対して給電することがより便利になる。
【課題を解決するための手段】
【０００６】
請求項１の考案は、支持板が枢着され、上記支持板の上側に摺動槽が形成され、上記摺動槽内に移動板が設置され、上記移動板が上記摺動槽内において自在に摺動でき、また、上記支持板の両側に円弧状フィンが枢着される本体と、
上記本体の裏側に枢着されるプラグと、上記本体内に実装され、上記プラグに電気的に接続され、電気エネルギーが格納される電池セットと、上記移動板内に実装され、上記電池セットに電気的に接続される給電コイルと、が含有され、上記移動板が上記摺動槽内に縮むことにより第1の状態が形成され、また、上記移動板が上記支持板の上側へ伸び出すことにより、第2の状態が形成され、それぞれ、時計式携帯電話やタブレット型携帯電話に対して給電する、ことを特徴とする時計式携帯電話とタブレット型携帯電話の両方に適用できる多機能給電器である。
【０００７】
請求項２の考案は、上記らの円弧状フィンに、それぞれ逆Ｕ文字形溝が形成され、上記逆Ｕ文字形溝は、上記支持板が上記本体に垂直するように回転すると、逆Ｕ文字形状になり、上記逆Ｕ文字形溝において、内側に挟み持ち片が形成され、上記挟み持ち片において、上記支持板の上側の一端が、自由端で、もう一端が、連接端になる、ことを特徴とする請求項１に記載の時計式携帯電話とタブレット型携帯電話の両方に適用できる多機能給電器である。
【０００８】
請求項３の考案は、上記らの円弧状フィンの末端に、それぞれ凸縁が設けられ、上記らの円弧状フィンが、上記支持板が上記本体の上面に貼り付くように回転すると、上記凸縁が上記本体の底面に係止する、ことを特徴とする請求項１に記載の時計式携帯電話とタブレット型携帯電話の両方に適用できる多機能給電器である。
【０００９】
請求項４の考案は、上記本体においてスロットが形成され、上記スロットが上記支持板の前方に設置され、上記本体において、上記スロットの底部にＵＳＢプラグが設置され、上記スロットの一側の周縁に蓋板が枢着され、上記蓋板が選択的に上記スロットに被ることができる、ことを特徴とする請求項１に記載の時計式携帯電話とタブレット型携帯電話の両方に適用できる多機能給電器である。
【００１０】
請求項５の考案は、更に、電気継ぎ手があり、上記電気継ぎ手が上記本体の裏側に設置され、上記電気継ぎ手の一端が、上記電池セットに電気的に接続され、もう一端が、外部電源に電気的に接続される、ことを特徴とする請求項１に記載の時計式携帯電話とタブレット型携帯電話の両方に適用できる多機能給電器である。
【００１１】
請求項６の考案は、上記電気継ぎ手がＵＳＢ継ぎ手である、ことを特徴とする請求項５に記載の時計式携帯電話とタブレット型携帯電話の両方に適用できる多機能給電器である。
【００１２】
以下、図面を参照しながら、本実用新案の特徴や技術内容について、詳しく説明するが、それらの図面等は参考や説明のためであり、本実用新案はそれによって制限されることが無い。
【図面の簡単な説明】
【００１３】
【図１】本考案の外観図である。
【図２】本考案の第1の状態図である。
【図３】本考案の第2の状態図である。
【図４】本考案の第1の状態の使用様態図である。
【図５】本考案の第1の状態の他の使用様態図で、時計式携帯電話を挟み持って固定する時の態樣図である。
【図６】本考案の第2の状態の使用様態図である。
【図７】本考案のスロット展開図である。
【図８】本考案のスロット使用様態図である。
【考案を実施するための形態】
【００１４】
図１と図２及び図７を参照しながら、本考案に係る時計式携帯電話とタブレット型携帯電話の両方に適用できる多機能給電器１００は、
本体１０があり、上記本体１０にスロット１１が形成され、上記本体１０において、上記スロット１１の底部にＵＳＢプラグ１２が設けられ、本考案によれば、上記スロット１１が上記本体１０の上面前方に設置され、上記本体１０において、上記スロット１１の前方周縁に蓋板１３が枢着され、上記蓋板１３が選択可能に上記スロット１１に覆うことができ、また、上記本体１０において、上記スロット１１の裏側の周縁に支持板１４が枢着され、上記支持板１４の上側に摺動槽１４１が形成され、上記本体１０において、上記摺動槽１４１内に移動板１５が設けられ、上記移動板１５が上記摺動槽１４１内で自在に摺動可能であり、また、上記摺動槽１４１内に縮む第1の状態になることができ、例えば、図３のように、或いは、上記支持板１４の上側外に伸び出す第2の状態になることができ、そして、上記本体１０において、上記支持板１４の左右両側にそれぞれ円弧状フィン１６が枢着され、上記らの円弧状フィン１６が、上記支持板１４の裏側へ向かって湾曲し、上記らの円弧状フィン１６と上記支持板１４との間にある枢着軸で、上記らの円弧状フィン１６が上記支持板１４に対する湾曲円弧度を調整でき、また、さらに、上記らの円弧状フィン１６の上部にそれぞれ逆Ｕ文字形溝１６２が形成され、上記逆Ｕ文字形溝１６２の内側に挟み持ち片１６３が形成され、上記挟み持ち片１６３の両端がそれぞれ連接端１６３１と自由端１６３２になり、上記挟み持ち片１６３の連接端１６３１が上記円弧状フィン１６に連結され、上記挟み持ち片１６３の自由端１６３２が上記逆Ｕ文字形溝１６２の内側に位置し、具体的に言えば、上記逆Ｕ文字形溝１６２は、上記支持板１４が上記本体１０に垂直するように回転すると逆Ｕ文字形状になり、上記挟み持ち片１６３の上記支持板１４の上側の一端が自由端１６３２であり、もう一端が連接端１６３１になり、上記らの円弧状フィン１６の末端にそれぞれ凸縁１６１が形成され、上記らの円弧状フィン１６は、上記支持板１４が上記本体１０の上面に貼り付くように回転すると、上記らの凸縁１６１が上記本体１０の底面に係止される。
また、上記本体１０の裏側に枢着されるプラグがあり、使用しない時、上記本体１０の底部内へ回転でき、本考案によれば、上記プラグは、上記本体１０の裏側の底部に枢着される。
また、上記本体１０の裏側に設置される電気継ぎ手があり、外部電源に電気的に接続され、本考案によれば、上記電気継ぎ手がＵＳＢ継ぎ手であり、その一端が上記本体１０の裏側の底部に挿設され、もう一端にコンピューター或いは他の外部電源が、電気的に接続されることができる。
また、上記本体１０内に設置された電池セット４０があり、上記電池セット４０がそれぞれ上記プラグや上記電気継ぎ手に電気的に接続され、電気エネルギーを格納することができる。
また、上記移動板１５内に設置される給電コイル５０があり、上記給電コイル５０が上記電池セット４０に電気的に接続される。
【００１５】
図２と図４のように、上記時計式携帯電話とタブレット型携帯電話の両方に適用できる多機能給電器１００で、時計式携帯電話に対して、給電する場合、上記プラグを伸び出させるように回転して、上記プラグで商用電力を接続でき、また、上記支持板１４を、ほぼ上記本体１０の上面に垂直するまで回転して、上記移動板１５を上記摺動槽１４１内に縮め、上記第1の状態が形成され、この時、時計式携帯電話２００を上記本体１０上にセットして、上記移動板１５に抵当し、また、上記時計式携帯電話２００の時計バンド２１０を、上記らの円弧状フィン１６にセットすれば、上記時計式携帯電話２００に対して、給電できる。
【００１６】
上記時計式携帯電話とタブレット型携帯電話の両方に適用できる多機能給電器１００で、上記時計式携帯電話２００に対して、給電する時、上記プラグを介して、商用電力で必要とする電気エネルギーを供給し、それから、電気エネルギーを上記時計式携帯電話２００の電源に合わせて規格変換し、上記電池セット４０に格納し、そして、上記給電コイル５０に供給し、また、上記給電コイル５０で電気エネルギーを磁力に変換し、それとともに、上記時計式携帯電話２００内に設けられた誘導コイルにより、電磁誘導を利用して、電気エネルギーを生成し、また、上記電気エネルギーを上記時計式携帯電話２００に対して供給でき、上記時計式携帯電話２００に対して、給電する目的が達成される。
【００１７】
図２と図５のように、ユーザーが、上記挟み持ち片１６３の自由端１６３２をやや外へ押して、更に、上記時計式携帯電話２００の時計バンド２１０を、上記らの挟み持ち片１６３の上方から、上記らの逆Ｕ文字形溝１６２に嵌入すると、上記時計式携帯電話２００の時計バンド２１０が、上記らの挟み持ち片１６３の内側に挟み持たれて、上記らの円弧状フィン１６の外側に固定され、これにより、上記時計式携帯電話２００が、安定的に上記時計式携帯電話とタブレット型携帯電話の両方に適用できる多機能給電器１００に固定され、上記時計式携帯電話２００が、安定的に、上記移動板１５に貼り付く。
【００１８】
また、図３と図６のように、上記時計式携帯電話とタブレット型携帯電話の両方に適用できる多機能給電器１００で、タブレット型携帯電話に対して、給電する時、上記移動板１５を上記摺動槽１４１から上記支持板１４の上側外へ伸び出させて、上記第2の状態を形成し、それから、タブレット型携帯電話３００を上記支持板１４と上記移動板１５に貼り付くように上記本体１０にセットして、上記時計式携帯電話３００に対して給電できる。
【００１９】
また、上記時計式携帯電話とタブレット型携帯電話の両方に適用できる多機能給電器１００で、上記タブレット型携帯電話３００に対して、給電する時、上記プラグを利用して、商用電力で、必要とする電気エネルギーを提供し、また、電気エネルギーを上記タブレット型携帯電話３００に合わせて電源規格を変換して、上記電池セット４０に格納し、それから、上記給電コイル５０に供給し、また、上記給電コイル５０により、電気エネルギーが磁力に変換され、それとともに、上記タブレット型携帯電話３００内にある誘導コイルで、電磁誘導を利用して電気エネルギーを生成して、上記電気エネルギーを上記タブレット型手機３００に供給し、上記タブレット型携帯電話３００に対する給電の目的が達成される。
【００２０】
また、上記時計式携帯電話とタブレット型携帯電話の両方に適用できる多機能給電器１００は、上記第1の状態であっても、上記第2の状態であっても、上記移動板１５が、ともに、上記支持板１４の前方から露出するため、上記時計式携帯電話２００や上記タブレット型携帯電話３００が、直接に、上記移動板１５に接触でき、そのため、上記移動板１５に設けられた上記給電コイル５０が、上記時計式携帯電話２００や上記タブレット型携帯電話３００に貼り付くことができ、これにより、上記時計式携帯電話とタブレット型携帯電話の両方に適用できる多機能給電器１００で、上記時計式携帯電話２００や上記タブレット型携帯電話３００に対して、給電することが実現される。
【００２１】
また、上記時計式携帯電話とタブレット型携帯電話の両方に適用できる多機能給電器１００は、上記プラグを介して、商用電力で、必要とする電気エネルギーを給電できるだけでなく、上記電気継ぎ手で、コンピューターや他の外部電源に接続して、必要とする電気エネルギーを供給できる。
【００２２】
また、図２乃至図６のように、上記時計式携帯電話とタブレット型携帯電話の両方に適用できる多機能給電器１００も、上記プラグを介して、商用電力を利用して、或いは、上記電気継ぎ手で、コンピューターや他の外部電源に接続し、必要とする電気エネルギーを提供することでなく、上記電池セット４０に格納された電気エネルギーを、直接に上記時計式携帯電話２００や上記タブレット型携帯電話３００に対して、給電できる。
【００２３】
また、上記電池セット４０は、よく使われた乾電池を選択使用しても、上記時計式携帯電話とタブレット型携帯電話の両方に適用できる多機能給電器１００で、直接に、上記乾電池の電気エネルギーを上記時計式携帯電話２００や上記タブレット型携帯電話３００に対して、給電できる。
【００２４】
これにより、上記時計式携帯電話とタブレット型携帯電話の両方に適用できる多機能給電器１００は、携帯電話の交換性が向上され、ユーザーに対して言っても、携帯電話の選択性も多くなる。
【００２５】
図７と図８のように、上記時計式携帯電話とタブレット型携帯電話の両方に適用できる多機能給電器１００は、更に、上記蓋板１３をほぼ上記本体１０の上面に垂直するまでに回転でき、これにより、上記タブレット型携帯電話３００や上記時計式携帯電話が上記スロット１１に挿設されることができ、また、上記ＵＳＢプラグ１２で上記タブレット型携帯電話３００或いは上記時計式携帯電話を、上記時計式携帯電話とタブレット型携帯電話の両方に適用できる多機能給電器１００に接続することができ、そのため、上記タブレット型携帯電話３００や上記時計式携帯電話を、上記時計式携帯電話とタブレット型携帯電話の両方に適用できる多機能給電器１００の上記電気継ぎ手を介して、コンピューターや他の外部裝置に接続することができ、それから、上記時計式携帯電話とタブレット型携帯電話の両方に適用できる多機能給電器１００で給電する時、同時に、上記時計式携帯電話とタブレット型携帯電話の両方に適用できる多機能給電器１００で、コンピューターや他の外部裝置に接続することができる。
【００２６】
そのため、本実用新案は、より進歩的かつより実用的で、法に従って実用新案登録請求を出願する。
【００２７】
以上は、ただ、本実用新案のより良い実施例であり、本実用新案は、それによって制限されることが無く、本実用新案に係わる実用新案登録請求の範囲や明細書の内容に基づいて行った等価の変更や修正は、全てが、本実用新案の実用新案登録請求の範囲内に含まれる。
【符号の説明】
【００２８】
１０   本体
１００ 時計式携帯電話とタブレット型携帯電話の両方に適用できる多機能給電器           
１１   スロット
１２   ＵＳＢプラグ
１３   蓋板
１４   支持板
１４１ 摺動槽
１５   移動板
１６   円弧状フィン
１６１ 凸縁
１６２ 逆Ｕ文字形溝
１６３ 挟み持ち片
１６３１      連接端
１６３２      自由端
２００ 時計式携帯電話
２１０ 時計バンド
３００ タブレット型携帯電話        
４０   電池セット    
５０   給電コイル
【図１】
0003191199.tif 000003
【図２】
0003191199.tif 000004
【図３】
0003191199.tif 000005
【図４】
0003191199.tif 000006
【図５】
0003191199.tif 000007
【図６】
0003191199.tif 000008
【図７】
0003191199.tif 000009
【図８】
0003191199.tif 000010